(57)【特許請求の範囲】
【請求項１】
記録媒体の表裏面に画像を転写可能な多重転写機構を備えた画像形成装置において、
レジストローラ、感光体に対向する転写機構、定着機構等を配置した記録媒体搬送路を一方向に形成し、
前記定着機構の搬出経路に入口を設けるとともに、前記レジストローラより上流側に出口を形成して多重転写機構を、前記転写機構の感光体とは反対側に前記記録媒体搬送路に沿って並設し、
前記多重転写機構の枠体は、長方形状の短辺側の幅方向に頭部を配置し、該頭部上面に前記記録媒体の入口が設けられるとともに、前記頭部の前記入口の近傍に熱を強制排気可能な開口部が設けられており、
さらに前記多重転写機構の枠体には、前記入口に通じるなだらかに湾曲した曲面を有する受入ガイドを設けて、前記出口側に横Ｕ字状の方向変換用ガイドを設け、
前記受入ガイド付近から前記方向変換用ガイドの受入口付近まで前記受入ガイドの送出口より前記記録媒体搬送路側に接近するように連続傾斜して連絡する第１反転通路と、前記方向変換用ガイドの送出口と連結する第２反転通路とを形成し、これらの通路により記録媒体が反転することを特徴とする多重転写機構を備えた画像形成装置。
【請求項２】
前記第１反転通路の背面下方側に電気基板を配置するとともに、前記電気基板の配設位置が、前記第１反転通路の一部をなす蓋部と対面する位置であることを特徴とする請求項１記載の多重転写機構を備えた画像形成装置。
【発明の詳細な説明】
【０００１】
【発明の属する技術分野】
本発明はプリンタ、複写機、ファクシミリ等の記録媒体の表裏面に画像を記録する多重転写機構を備えた画像形成装置に関する。
【０００２】
【従来の技術】
従来より、記録媒体の表裏面に画像を記録する多重転写機能を有した画像形成装置は種々知られている。
これらの装置は、表面に画像を記録した記録媒体の裏面に画像を記録するために、装置内で記録面を反転させて、転写ローラ側に搬送する必要がある。
【０００３】
そのためには、記録媒体の表面に画像を記録した後に、搬送方向を変更して表裏を反転する必要があり、この反転による記録媒体のカーリング習性、また、定着機構により生じるカーリング習性等により、装置内で記録媒体がジャムするという問題が発生しやすい。
よって、記録媒体の反転搬送路を記録媒体が無理なく通過する必要から、装置は大型化する傾向にある。
【０００４】
【発明が解決しようとする課題】
本発明は上述の事情に鑑み、多重転写機構を備えても大型化しない画像形成装置を提供することを目的とする。
また、本発明の他の目的は、多重転写機構を備えても小型化が可能であり、かつ、その小型化された装置であっても各部材の放熱を容易にする画像形成装置を提供することである。
【０００５】
【課題を解決するための手段】
本発明は、記録媒体の表裏面に画像を転写可能な多重転写機構を備えた画像形成装置において、
レジストローラ、感光体に対向する転写機構、定着機構等を配置した記録媒体搬送路を一方向に形成し、
前記定着機構の搬出経路に入口を設けるとともに、前記レジストローラより上流側に出口を形成して多重転写機構を、前記転写機構の感光体とは反対側に前記記録媒体搬送路に沿って並設し、
前記多重転写機構の枠体は、長方形状の短辺側の幅方向に頭部を配置し、該当部上面に前記記録媒体の入口が設けられるとともに、前記頭部の前記入口の近傍に熱を強制排気可能な開口部が設けられており、
さらに前記多重転写機構の枠体には前記入口に通じるなだらかに湾曲した曲面（以下略Ｊ字状曲面という）を有し前記入口と前記開口部とを仕切る受入ガイドを設けて、前記出口側に横Ｕ字状の方向変換用ガイドを設け、
前記受入ガイド付近から前記方向変換用ガイドの受入口付近まで前記受入ガイドの送出口より前記記録媒体搬送路側に接近するように連続傾斜して連絡する第１反転通路と、前記方向変換用ガイドの送出口と連結する第２反転通路とを形成し、これらの通路により記録媒体が反転することを特徴とする多重転写機構を備えた画像形成装置を提案する。
【０００６】
本発明は、例えば、図１に示すように、レジストローラ（１８、３０）、感光体９に対向する転写機構１９、定着機構（２３、２４）等を配置した記録媒体搬送路を一方向に、右から左に形成している。
前記定着機構の搬送経路にガイドチェンジャ１２を介して入口（開口部）３８ｄが連通可能に設けられ、前記レジストローラ（１８、３０）より上流側に出口３８ｌを形成して多重転写機構が、前記転写機構１９の感光体９とは反対側に前記記録媒体搬送路に沿って並設して配置される。
【０００７】
そして、前記多重転写機構内に、前記入口３８ｄに通じる略Ｊ字状曲面を有する受入ガイド３８ｃと、前記出口３８ｌ側に横Ｕ字状の方向変換用ガイド（ガイドローラ５０、ガイド面５６ｄ）とが配設され、さらに、前記受入ガイド３８ｃと前記方向変換用ガイドの受入口と連絡する第１反転通路７２と、前記方向変換用ガイドの送出口と連結する第２反転通路７３とが形成されている。
【０００８】
よって、略Ｊ字状曲面を有する前記受入ガイド３８ｃと前記方向変換用ガイドの受入口と連絡する第１反転通路７２と、横Ｕ字状に形成された前記方向変換用ガイドの送出口と連結する第２反転通路７３とにより記録媒体が反転するように構成されるとともに、前記定着機構の搬出経路側の入口（開口部）３８ｄと前記レジストローラ（１８、３０）より上流側の出口にわたって多重転写機構が前記記録媒体搬送路に沿って並設して配置しているので、第１反転通路７２は長い距離にわたって前記第１反転通路を形成でき、また、その第１反転通路両端に配置されるガイド面３８ｃ及びガイドローラ５０の湾曲を大きくなだらかに形成でき、結果的に、従来の前記記録媒体搬送路を特別に長くし、装置本体を大型化することがなく、多重転写機構を備えた画像形成装置を提供することができる。
【０００９】
また、前記第１反転通路を前記受入ガイドから前記方向変換用ガイドの受入口に向かって、前記受入ガイドの送出口より前記記録媒体搬送路側に接近するように傾斜して形成することも本発明の有効な手段である。
【００１０】
このように前記第１反転通路を傾斜させることにより、前記受入ガイドの曲面の曲率半径を大きく取ることができ、前記受入ガイド送出口を、定着機構からより離間することができ、定着機構からの高熱の影響を少なくすることができるとともに、斜めに前記第１反転通路を形成できるので、装置本体に対して水平に配置するより、長い距離を確保され、装置本体を大型化することがない。
【００１１】
また、前記定着機構から距離的に離して前記第１反転通路の背面下方側に電気基板を配置し、前記電気基板の配設位置が、前記第１反転通路の一部をなす蓋部と対面する位置であることも本発明の有効な手段である。
【００１２】
前述したように、前記第１反転通路を傾斜させることにより、定着機構からより離間することができ、定着機構からの高熱の影響を少なくすることができるが、さらに、前記第１反転通路の背面側下方に電気基板が配置されているので、定着機構の高熱は、前記第１反転通路を形成する蓋部や他の部材により遮断され、高熱の影響がさらに軽減される。
【００１４】
【発明の実施の形態】
以下、図面に基づいて本発明の実施の形態を例示的に詳しく説明する。但しこの実施の形態に記載されている構成部品の寸法、材質、形状、その相対配置などは特に特定的な記載がない限りは、この発明の範囲をそれのみに限定する趣旨ではなく単なる説明例に過ぎない。
【００１５】
図１は多重転写ユニットが格納された画像形成装置の一実施の形態を示し、該画像形成装置１には、図上時計回りに回転するａ−Ｓｉ感光体ドラム９の周囲に、回転方向に沿って、現像器１０、転写ローラ１９、感光体ドラムのクリーナ１１、及び帯電ユニット８が配設されている。
【００１６】
現像器１０には、現像ローラ１０ａが配設され、該現像ローラ１０ａの表面は前記感光体ドラム９の表面と所定間隔離間している。
そして、現像器１０はトナーコンテナ３１から適宜所定量のトナーが供給可能に構成されている。
また、トナーコンテナ３１に上方には上部扉７が基部７ａを中心として矢印方向５３に開閉可能に配置され、トナーコンテナ３１を脱着可能に構成している。
【００１７】
感光体ドラム９の上部には感光体ドラム９の表面に画像のドットを形成する光学ユニット５が設けられ、該光学ユニット５は図示しないレーザ光源からのレーザ光を反射するポリゴンミラー、前記レーザ光を反射ミラーを介して帯電ユニット８と現像ローラ３２との間の感光体表面に画像ドットを結像する光学系等を有して構成されている。
【００１８】
画像形成装置１の下部６１には、図示しないが、後述する該装置を制御する制御回路が設けられるとともに、記録紙コンテナが外部から着脱可能に配置され、該記録紙コンテナには転写前記録紙収納庫が設けられ、記録紙は図示しない搬送ローラによって、搬送路３１に搬送され、搬送ローラ３２、３３により通路３４を通ってレジストローラ１８、３０まで搬送可能に構成されている。
【００１９】
画像形成装置１の左方には、定着ローラ２３及び２４によって定着部が構成され、感光体ドラム９と転写ローラ１９間を通過した記録紙は定着ローラ２３、２４により定着され、定着後の記録紙は搬送ローラ２１、２２、２５、２６により通路２７を通って、ローラ２８、２９により転写済記録紙集積庫６に集積されるように構成されている。
【００２０】
このように構成された画像記録装置１は、図示しない電源スイッチを閉成すると、図示しないメインモータが駆動を開始し、図示しないスタートスイッチにより感光体ドラム９が時計方向に回転し、光学ユニット５が感光体ドラム９の表面に画像を形成し、該画像は現像器１０の現像ローラ１０ａにより現像され、この現像された画像は転写ローラ１９により記録紙に転写され、定着ローラ２３、２４により定着され、ローラ２１、２２、２５，２８，２９により集積庫６に搬送されて集積される。
【００２１】
次に、多重転写ユニット２を装置本体から引き出す操作を説明する。図１において、装置本体の下部に多重転写ユニット２は配置される。該多重転写ユニット２は装置本体から引き出し可能な一体のユニット部品として構成されている。
【００２２】
図２は、装置本体内から引き出された多重転写ユニット２を側面から視た図である。
前方扉１３は、筐体４９の開口部近傍の壁面に固着された取付板１４の下端に１４ａ回動中心として回動可能に取付られるとともに、取付板１４の上端１４ｂを回動中心として支え腕１５の一端と連結し、さらに、前方扉１３の中央部分の１３ａを回動中心として支え腕１６の一端と連結し、支え腕１５及び１６の他端は回動可能に連結して、この前方扉１３は、図２上時計方向に回動して装置本体の筐体４９の開口部を遮蔽可能に構成されている。
【００２３】
前方扉１３を開成した状態では、多重転写ユニット２は装置本体内に収納された状態であるが、前方ブロック１７の凹所２０に指を掛け、手前に引く、即ち、図２上左方に引くことにより、図２の状態に引き出すことができる。
【００２４】
図１に示すように、多重転写ユニット２の下方左右には、摺動載置手段６２、６２が配設されている。該摺動載置手段６２は、図２、図３、図４に示すように、多重転写ユニット２の枠体３８の基部に取付られた摺動板４２と、該摺動板４２の後端を舌状に垂下した舌片４２ｂにローラ４３を回転自在に配設し、前記舌片４２ａの前方端縁近傍からローラ４３の厚さ分の幅を有する摺動縁４２ｃが枠体３８の前方に向かって延設され、該摺動縁４２ｃには前記舌片４２ｂ側に谷型突起４２ａが下方に突出している。
【００２５】
装置内には、断面コ字状に形成されたガイドレール板４０が配置され、前方開口部近辺に位置する先端４０ｃにはコ字状の内側にローラ４１が回転可能に配設されている。
ガイドレール板４０のコ字状の内側上下面は、前記摺動板４２のローラ４３と接触し、ガイド面の作用をなすとともに、前記ローラ４１は前記摺動板４２の摺動縁４２ｃと接触して、摺動板４２を摺動可能になすとともに、谷型突起４２ａと当接して多重転写ユニット２の引き出しを停止する作用をなす。
【００２６】
次に、多重転写ユニット２の構成を説明する。図５は、多重転写ユニット２の断面図である。
多重転写ユニット２は、長方形状の短辺側の幅方向に小物置用の戸棚状の頭部を配置した略ベット状に形成されている。
【００２７】
前記頭部上面には、幅方向両端の頭壁３８ｊ，３８ｊを残して凹設され、該凹設部３８ｄには、前記頭壁間に回転自在の搬送ローラ４５、及び駆動源と連結した駆動ローラ４６が配設され、該両搬送ローラの外周に沿って、搬入される記録媒体のガイドとなる枠体３８の壁面３８ｃが曲面を描いて延設されている。
【００２８】
前記頭部上面には、複数の開口部３８ｂが開設（図２）されている。また、該開口部の上方装置本体内に配置されるファン（不図示）によって、前記開口部３８ｂを通って空気を矢印６４に示すように強制排気可能に形成されている。
【００２９】
枠体３８内には、図示しない駆動源と連結して回転可能な駆動ローラ４７、駆動ローラ４８、及び４９が、記録媒体の搬送方向に沿って傾斜して上昇するように配置されている。
これらの駆動ローラにそれぞれが一対一で接触するように従動ローラ５７、５８、５９を配置した第１ガイド体５６が、記録媒体の搬送方向に沿って右上がりに上昇するような傾斜したガイド面５６ａを有して、ガイドローラ４５の回転中心５６ｂを回動中心として、矢印６６方向に回動可能に配設されている。
【００３０】
前記第１ガイド体５６のガイド面５６ａと平行したガイド面５５ａを有した第２ガイド体５５が、枠体の中央部分に配置されている駆動ローラ４８の回転中心５５ｂを回動中心として矢印６６方向に回動可能に配設されている。
【００３１】
前記第１ガイド体５６及び第２ガイド体５５の終端側には、第１ガイド体５６の終端に設けた大径のガイド面５６ｄの曲面形状に沿う外径を有したガイドローラ５０が回転自在に配置され、記録媒体の進行方向の反転方向変換を容易にしている。
【００３２】
第２ガイド体５５の一部には、開口部５５ｃが開設され、この開口部５５ｃに対面する位置に第１ガイド体５６の開口部５６ｃが開設されている。
そして、一片がスイッチ６９に接続され、他片が両開口部に挿入されたセンサ６７が配設され、第１ガイド体５６と第２ガイド体５５とにより形成される通路に記録媒体の有無を検出可能に構成されている。
【００３３】
前記ガイドローラ５０の外周に対面して枠体３８の曲面３８ｃが配設され、その近傍に正逆回転可能な駆動ローラ５１が配設され、該駆動ローラ５１に対向して従動ローラ５２が駆動ローラ５１の周面に接触離間可能に配置されている。
また、前記ローラ５１、５２より若干左側に規制ローラ５３、５４が配置され、上側の規制ローラ５３は記録媒体の浮き上がりを押さえる役目をするものであり、下側の規制ローラ５４は上側ローラ５３の外周に押圧する必要はなく記録媒体の肉厚が挿入できる程度の外周間の間隙を有して両ローラは配置されている。
【００３４】
規制ローラ５３、５４から左方に向かってガイド面３８ｇが延設されているが、その途中に開口部３８ｋが開設され、そして、一片がスイッチ７０に接続され、他片が前記開口部３８ｋに挿入されたセンサ６８が配設され、ガイド面３８ｇ上の通路に記録媒体の有無を検出可能に構成されている。
【００３５】
駆動ローラ４７と駆動ローラ４８との間には、多重転写ユニット２の動作を制御する電気回路を備えた基板６５が配設され、記録媒体の搬送通路のガイド面の一部を形成する蓋部６３を取り外すことにより、前記基板６５を交換可能に構成されている。
【００３６】
次に、このように構成された多重転写ユニット２の作用を説明する。
図６に示すように、枠体３８の凹部３８ｄの上側の装置本体側には、搬送通路２７へ記録媒体を通過させるガイド面１２ｂと下方の多重転写ユニット２側に記録媒体を搬送するガイド面１２ｃとを有し、１２ａを回動中心として回動し、両ガイド面を切り換え使用可能なガイドチェンジャ１２が配設されている。
【００３７】
このガイドチェンジャ１２には、切り換え腕１２ｄが図示しないプランジャに接続され、電気信号により該プランジャが動作することにより、前記両ガイド面が切り換えられる。
このガイドチェンジャ１２が実線で示す位置にあるときは、搬送ローラ２１、２２、２５、２６により、ガイド面１２ｂを通って搬送通路２７に記録媒体が搬送される。
【００３８】
電気信号により、ガイドチェンジャ１２が反時計方向に回動し、搬送ローラ２１、２２による排出通路にまたがってガイド面１２ｃが仮想線１２ｃ′の位置に切り替わると、記録媒体は矢印７１方向に搬送され、多重転写ユニット２内に搬入される。
【００３９】
多重転写ユニット２内に搬入された記録媒体はその先端が枠体３８のガイド面３８ｃによりなだらかに湾曲され、ガイドローラ４６、従動ローラ５７及び駆動ローラ４７によって、記録面を下面として反転して、蓋部６３と第１及び第２ガイド体とにより形成される第１反転通路７２内に搬入され、センサ６７により記録媒体が検出されて、基板６５に検出信号が送出される。
【００４０】
センサ６８により、面３８ｆ，３８ｇ，３８ｈによって形成される第２反転通路７３内に記録媒体の存在が検出されない場合は、記録媒体はガイドローラ５０とガイド面５６ｄ及びガイド面３８ｅとにより方向変換し、記録面を上面として反転して、駆動ローラ５１及び従動ローラ５２により、前記第２反転通路７３に記録媒体を搬入させる。
【００４１】
第２反転通路７３へ記録媒体が搬入されると、センサ６８と接触し、基板６５に信号を送出する。電気回路は、この信号を受け取って所定量の記録媒体を送出した後に、記録媒体の後端部が駆動ローラ５１と従動ローラ５２により挟まれた状態で、駆動ローラ５１の回転を停止する。
【００４２】
その停止位置で、従動ローラ５２は、図示しない機構により下降し、駆動ローラ５１への押圧力が解除され、ついで、図示しない、横幅整列機構により横幅が整列され、従動ローラ５２が上昇して駆動ローラ５１と記録媒体を介して押圧接触し、ついで、駆動ローラ５１が逆転して、記録媒体の後端面を先頭にして排出開口部３８ｌから、図１に示す通路３１に搬送され、搬送ローラ３２、３３を通ってレジストローラ１８、３０に搬送される。
【００４３】
さて、記録媒体の表面に感光体ドラム９から画像を転写記録した後に、多重転写ユニット２によって表裏反転して記録媒体の後端部から同じ記録媒体の裏面に再度転写するために、待機するのは、異なった記録画面を多数転写する場合は、時間的ロスであり、好ましくない。
よって、１枚目の記録媒体の表面に記録した後は、２枚目もしくは  ３枚目というように、異なった枚数の記録媒体の表面を記録する。そして、異なった枚数の記録媒体の表面を記録している間に、多重転写ユニットの反転動作を行わせることが望ましい。
【００４４】
このような理由から、本実施の形態においては、連続して異なった記録媒体の枚数の表面に画像を転写記録している。
そのために、例えば、１枚目の記録媒体が第２反転通路７３に存在していることをセンサ６８によって検出している間は、２枚目の記録媒体は第１反転通路７２内に待機し、３枚目の記録媒体が感光体ドラム９から画像の転写が終了したときは、レジストローラ１８、３０位置に待機していた４枚目が転写位置に搬送されて転写が行われ、それに同期して第２反転通路７３に待機していた１枚目の記録媒体がレジストローラ１８、３０に向かって搬送を開始し、その搬送が終了すると２枚目の記録媒体が第２反転通路７３に搬入されるように制御される。
【００４５】
次に、ジャムした記録媒体の排除方法を説明する。
図７において、第１ガイド体５６が閉成され、第２ガイド体５５とともに第１通路を形成している第１ガイド体５６の実線で示す状態から、反時計方向に回動して仮想線５６′で示す開成状態となると、第１反転通路７２の表面が開成され、第１反転通路７２の一方のガイド面を形成する蓋部６３のガイド面６３ａ、及び第２ガイド体５５のガイド面５５ａが現れる。
【００４６】
この状態では、第１ガイド体５６に配設されている従動ローラ５７、５８、及び５９は、それぞれガイドローラ４６、駆動ローラ４７、４８、４９から離間し、前記第１反転通路からジャムした記録媒体を容易に排除することができる。
【００４７】
この状態から、第２ガイド体５５を反時計方向に回動させると、第２反転通路７３を形成するガイド面３８ｇが開放され、ジャムした記録媒体を容易に排除することができる。
【００４８】
また、第１ガイド体５６及び第２ガイド体５５を透明な合成樹脂で形成すると、多重転写ユニット２を装置本体から引き出したままの状態で、ジャムした記録媒体を視認することができ、ジャム処理の対処がさらに容易となる。
【００４９】
以上詳述したように、本実施の形態は、画像形成装置本体に着脱可能に形成された多重転写ユニットを、第１ガイド手段と、この第１ガイド手段より内側に位置した第２ガイド手段とをそれぞれ、一端を軸支して開閉可能に配設し、両ガイド手段により第１反転通路形成して、第２反転通路を前記第２ガイド手段のガイド面とは反対側に設け、前記第１反転通路に並設して構成しているので、前記第１ガイド手段により、前記第１反転通路の一面側を、または、前記第１及び第２ガイド手段により、第２反転通路の一面側を開放することができ、これらの通路にジャムした記録媒体を容易に排除できる。
【００５０】
また、前記第１ガイド手段もしくは、前記第１及び第２ガイド手段とを透明部材で形成することにより、多重転写ユニットの外部からジャムした記録媒体の位置を視認することができ、適切なガイド手段を開成してジャムした記録媒体を排除でき、排除操作がさらに容易となる。
【００５１】
また、本実施の形態は、多重転写ユニットを装置内から引き出し可能であるとともに、引き出された状態で前記画像形成装置に停止保持可能に構成したので、多重転写ユニット２を引き出す際に、誤って操作者の足元に該ユニットが落下し不慮の事故を起こすこともなく、容易に記録媒体のジャム処理に対処することができる。
【００５２】
また、本実施の形態においては、多重転写ユニット内に記録媒体を待機可能に構成しているので、複数の異なった枚数に対応する記録媒体の表面を連続して複数記録した後に、第１番目の記録媒体を反転して感光体ドラム側に搬送可能であり、高速の転写が可能である。
【００５３】
また、本実施の形態においては、制御用の電気基板を、ガイドローラ４５、４６及び、略Ｊ字状曲面を有するガイド面３８ｃとにより、高熱となる定着機構から距離的に離して、さらに、搬送されてくる高温状態の記録媒体からは蓋部６３によって隔てて配置しているとともに、枠体３８の頭部上面に複数の開口部３８ｂを開設し、強制排気可能に構成しているので、高温は放熱され安定した電気制御を行うことができる。
【００５４】
また、本実施の形態においては、定着後の搬送経路に経路切り換え手段により記録媒体を搬入する入り口を有し、レジストローラ以前の搬送経路に出口を有するとともに、その入り口と出口との間に記録媒体の搬送反転経路を出口側で横Ｕ字型に配設し、入り口から出口側に至る通路で定着時と搬送方向を変換することにより表裏を反転するとともに、さらに、横Ｕ字型に方向変換することで再度表裏を反転して、記録媒体の終端を先頭として出口からレジストローラ側に搬送しているので、高さ方向の寸法を必要とせず、通常のレジストローラ、感光体ドラム、定着機構という位置方向の寸法内で多重転写ユニットを配設することができ、難しい制御を必要とせずに記録媒体を反転制御することができるとともに、小型の画像形成装置を提供することができる。
【００５５】
また、本実施の形態においては、多重転写ユニットの入り口の部分におおきな略Ｊ字状曲面を有するガイド面を設け、記録媒体経路を下降させ、定着後の経路から距離を多く取り、且つ、記録媒体の方向変換を容易になすとともに、前記略Ｊ字状曲面を有するガイド面から出口側に至る搬送路を上がり勾配に傾斜させているので、搬送路を長くとることができ、小型な多重転写ユニットを形成でき、ひいては画像形成装置の小型化が実現される。
【００５６】
【発明の効果】
以上記載したごとく本発明によれば、略Ｊ字状曲面を有する前記受入ガイドと前記方向変換用ガイドの受入口と連絡する第１反転通路と、横Ｕ字状に形成された前記方向変換用ガイドの送出口と連結する第２反転通路とにより記録媒体が反転するように構成され、また、前記定着機構の搬出経路側の入口と前記レジストローラより上流側の出口にわたって多重転写機構が前記記録媒体搬送路に沿って並設して配置しているので、第１反転通路は長い距離にわたって前記第１反転通路を形成でき、また、その第１反転通路両端に配置されるガイド面及びガイドローラの湾曲を大きくなだらかに形成でき、結果的に、従来の前記記録媒体搬送路を特別に長くし、装置本体を大型化することがなく、多重転写機構を備えた画像形成装置を提供することができる。
【００５７】
また、前記第１反転通路を前記受入ガイドから前記方向変換用ガイドの受入口に向かって、前記受入ガイドの送出口より前記記録媒体搬送路側に接近するように傾斜して形成することにより、前記受入ガイドの曲率を大きく取ることができ、前記受入ガイド送出口を、定着機構からより離間することができ、定着機構からの高熱の影響を少なくすることができるとともに、斜めに前記第１反転通路を形成できるので、装置本体に対して水平に配置するより、長い距離を確保され、装置本体を大型化することがない。
【００５８】
また、前記方向変換用ガイドの送出口から前記第１反転通路に沿って第２反転通路を形成し、前記第１反転通路の内側であって前記第２反転通路の終端部と前記受入ガイドとの間に電気基板を配置することにより定着機構の高熱は、前記第１反転通路を形成する第１ガイド体他の部材により遮断され、高熱の影響がさらに軽減される。
【００５９】
また、前記多重転写機構の前記入口の近傍に、前記第１及び第２反転通路、または第２反転通路と連通して空気を排出可能な開口部を設けて構成することにより、定着機構で加熱された記録媒体及び電気基板６５も容易に放熱される。
【図面の簡単な説明】
【図１】多重転写ユニットを用いた画像形成装置の一実施形態を示す図である。
【図２】多重転写ユニットを装置本体から引きだした状態を示す部分側面図である。
【図３】図２のＡ拡大図である。
【図４】図３のＣ方向矢視図である。
【図５】多重転写ユニットの断面構成図である。
【図６】多重転写ユニットに記録媒体を搬入する説明図である。
【図７】ジャムした記録媒体を排除する説明図である。
【符号の説明】
１          画像形成装置
２          多重転写機構
９              感光体ドラム
１３          前方扉
１８、３０    レジストローラ
１９          転写ローラ（転写機構）
２３、２４        定着ローラ（定着機構）
３６          記録媒体搬送路
３８ｃ        受入ガイド
６５          電気基板
７２          第１反転通路
７３          第２反転通路
【図１】
0003558827.tif 000002
【図２】
0003558827.tif 000003
【図３】
0003558827.tif 000004
【図４】
0003558827.tif 000005
【図５】
0003558827.tif 000006
【図６】
0003558827.tif 000007
【図７】
0003558827.tif 000008